(57)【要約】      （修正有）【課題】構造が簡単で、感電防止が可能な、コンセント装置を提供する。【解決手段】コンセント装置は、下蓋、導電片、端子挟持部、上蓋を含む。該端子挟持部は収容ボックスを含み、該収容ボックス上方には挿入設置部を設置し、該挿入設置部上には該挿入設置部を上下に貫通する挿入設置槽を開設し、該挿入設置槽内には挟持片を設置する。該収容ボックス内には電極片を可動接続し、該電極片は該収容ボックス上に可動接続する可動接続部を具え、該可動接続部は反対方向に延伸し、該挟持片下方に位置する押圧部、及び該導電片と電気的に連接する抵接部を有する。該上蓋は該下蓋上に蓋合し、該端子挟持部を該上蓋と該下蓋の間に封入する。該電極片の押圧部は該挟持片の下方に位置するため、プラグ端子の挿入がまだ完全でない時には、該プラグ端子と該コンセント装置は電気的に未接続で、こうして感電防止機能を達成し、しかもその構造は簡単で、製造と組み立てに便利である。【選択図】図２
0003143623.tif 000002
【実用新案登録請求の範囲】
【請求項１】
下蓋、導電片、端子挟持部、上蓋を含み、
該端子挟持部は収容ボックスを含み、該収容ボックス上方には挿入設置部を設置し、該挿入設置部上には該挿入設置部を上下に貫通する挿入設置槽を開設し、該挿入設置槽内には挟持片を設置し、該収容ボックス内には電極片を可動接続し、該電極片は該収容ボックス上に可動接続する可動接続部を具え、該可動接続部は反対方向に延伸し、該挟持片下方に位置する押圧部、及び該導電片と電気的に連接する抵接部を有し、
該上蓋は該下蓋上に蓋合し、該端子挟持部を該上蓋と該下蓋の間に封入することを特徴とするコンセント装置。
【請求項２】
前記収容ボックスは基板、及び該基板辺縁に連接し相対設置する第一側板と第二側板を具え、該第一側板及び該第二側板上には可動接続槽をそれぞれ開設し、該可動接続槽内には可動接続軸を固定し、
該導電片の可動接続部は該可動接続軸上に可動接続することを特徴とする請求項１に記載のコンセント装置。
【請求項３】
前記収容ボックスの基板上には抵接柱と収容設置部を延伸し、該収容設置部内にはばねを収容し、該導電片の押圧部は該ばね上を圧迫し、該抵接部は該抵接柱上において押し上げることを特徴とする請求項２に記載のコンセント装置。
【請求項４】
前記挟持片は湾折部を具え、該湾折部の両端は向かい合い傾斜し延伸部を延伸することを特徴とする請求項１に記載のコンセント装置。
【考案の詳細な説明】
【技術分野】
【０００１】
本考案はコンセント装置に関し、特に感電防止のコンセント装置に関する。
【背景技術】
【０００２】
コンセント装置は日常の作業及び生活に広く応用されており、コンセントとプラグを挿入接続し電気エネルギーの伝送を実現する。コンセント装置の電極は銅製挿入口式設計を採用するため、プラグの挿入接続端子をコンセント装置に挿入したばかりの時には、プラグの挿入接続端子は既にコンセント装置の電極に接触し、電気的導通を達成している。このため、この時に使用者が不注意でプラグの挿入接続端子に触れ、感電してしまう事故がしばしば起きている。
【０００３】
特許文献１は感電防止コンセント装置を掲示する。それはコンセントハウジング、コンセント芯カバー、コンセント芯、コンセント電極、第一弾片、第二弾片、導線を具える。該コンセント芯カバーは該コンセントハウジング内に嵌設し、該コンセントハウジングと一体に連結する。該第一弾片は該コンセント芯カバー上に装置し、しかも該導線は該第一弾片と接続する。該第二弾片及び該電極は共に該コンセント芯内に設置し、電気的に連接し、該コンセント芯は回転可能状態で該コンセント芯カバー内に設置する。使用時には、プラグを電極の間に挿入し、該コンセント芯をある角度回転させ、該第一弾片と該第二弾片を電気的に連接させる。しかし、該コンセント装置は該コンセント芯カバーと多数の弾片を使用する必要があり、回転方式により感電防止効果を達成するため、必要な部品が比較的多く、その構造を複雑にしてしまっている。
【０００４】
【特許文献１】中華人民共和国特許第０３１１７８８６．３号明細書
【考案の開示】
【考案が解決しようとする課題】
【０００５】
本考案が解決しようとする課題は、上記公知技術に存在する欠陥に対して、構造が簡単な感電防止コンセントを提供することである。
【０００６】
上記課題を解決するため、本考案は下記のコンセント装置を提供する。コンセント装置は上蓋、下蓋、該下蓋上に固定支持する導電片、端子挟持部を含み、
該端子挟持部は収容ボックスを含み、該収容ボックス上方には挿入設置部を設置し、該挿入設置部上には該挿入設置部を上下に貫通する挿入設置槽を開設し、該挿入設置槽内には挟持片を設置し、
該収容ボックス内には電極片を可動接続し、該電極片は該収容ボックス上に可動接続する可動接続部を具え、該可動接続部は反対方向に延伸し、該挟持片下方に位置する押圧部、及び該導電片と電気的に連接する抵接部を有し、
該上蓋は該下蓋上に蓋合し、該端子挟持部を該上蓋と該下蓋の間に封入する。
【０００７】
該コンセント装置の電極片の押圧部は該挟持片の下方に位置するため、プラグ端子の挿入がまだ完全でない時には、該プラグ端子と該押圧部は電気的に未接続で、こうして該プラグ端子と該コンセント装置の間も電気的に未接続で、こうして感電防止機能を達成し、しかもその構造は簡単で、製造と組み立てに便利である。
【課題を解決するための手段】
【０００８】
請求項１の考案は、下蓋、導電片、端子挟持部、上蓋を含み、
該端子挟持部は収容ボックスを含み、該収容ボックス上方には挿入設置部を設置し、該挿入設置部上には該挿入設置部を上下に貫通する挿入設置槽を開設し、該挿入設置槽内には挟持片を設置し、該収容ボックス内には電極片を可動接続し、該電極片は該収容ボックス上に可動接続する可動接続部を具え、該可動接続部は反対方向に延伸し、該挟持片下方に位置する押圧部、及び該導電片と電気的に連接する抵接部を有し、
該上蓋は該下蓋上に蓋合し、該端子挟持部を該上蓋と該下蓋の間に封入することを特徴とするコンセント装置としている。
請求項２の考案は、前記収容ボックスは基板、及び該基板辺縁に連接し相対設置する第一側板と第二側板を具え、該第一側板及び該第二側板上には可動接続槽をそれぞれ開設し、該可動接続槽内には可動接続軸を固定し、
該導電片の可動接続部は該可動接続軸上に可動接続することを特徴とする請求項１に記載のコンセント装置としている。
請求項３の考案は、前記収容ボックスの基板上には抵接柱と収容設置部を延伸し、該収容設置部内にはばねを収容し、該導電片の押圧部は該ばね上を圧迫し、該抵接部は該抵接柱上において押し上げることを特徴とする請求項２に記載のコンセント装置としている。
請求項４の考案は、前記挟持片は湾折部を具え、該湾折部の両端は向かい合い傾斜し延伸部を延伸することを特徴とする請求項１に記載のコンセント装置としている。
【考案の効果】
【０００９】
上記のように、本考案コンセント装置の電極片の押圧部は挟持片の下方に位置するため、プラグ端子の挿入がまだ完全でない時には、プラグ端子と押圧部は電気的に未接続で、すなわちプラグ端子とコンセント装置の間も電気的に未接続で、こうして感電防止機能を達成し、しかもその構造は簡単で、製造と組み立てに便利である。
【考案を実施するための最良の形態】
【００１０】
図１に示すように、本考案コンセント装置１は下蓋１０、第一導電片２０、第二導電片３０、第三導電片４０、複数の導電リング５０、複数の端子挟持部６０、上蓋７０、複数のねじ８０を含む。
【００１１】
該下蓋１０は底板１１を具え、該底板１１の辺縁は垂直に上方へと延伸し側板１２を有する。該底板１１上は垂直に上方へと延伸し複数の支持部１３を有する。該支持部１３は複数の隔絶板により組成され、該各隔絶板は取り囲み第一収容部１４を形成する。該支持部１３の間には第二収容部１５を形成する。該底板１１上はさらに垂直に延伸し複数の固定支持台１６とロック柱１７を有する。該固定支持台１６の中央部には固定支持孔１６１を開設する。該固定支持台１６は該固定支持孔１６１の両側において共に係合支持孔１６２を開設する。該ロック柱１７上には該ロック柱１７及び該底板１１を貫通するロック孔１７１を開設する。
【００１２】
該第一導電片２０は細長い形状を呈する第一導電部２１を具え、該第一導電部２１の上側縁は垂直に湾折し第一固定支持部２２を延伸する。該第一固定支持部２２の両側縁は共に垂直に下方へと湾折延伸し第一係合支持部２３を有する。該第一導電部２１の下側縁は垂直に湾折延伸し複数の凡そ「Ｕ」形を呈する第一電極２４を有する。
【００１３】
該第二導電片３０は細長い形状を呈する第二導電部３１を具え、該第二導電部３１の上側縁は垂直に湾折し第二固定支持部３２を延伸する。該第二固定支持部３２の両側縁は共に垂直に下方へと湾折延伸し第二係合支持部３３を有する。しかも該第二導電部３１の下側縁は上方へと延伸し、さらに垂直に湾折延伸し、等間隔距離に設置する複数の接触部３４を有する。
【００１４】
該第三導電片４０の構造は該第一導電片２０の構造と大方相同で、それは細長い形状を呈する第三導電部４１、該第三導電部４１上側縁より垂直に湾折延伸して来る第三固定支持部４２、それぞれ該第三固定支持部４２の両側縁から垂直に下方へと湾折延伸して来る２個の第三係合支持部４３、該第三導電片４０の下側縁から延伸して来る複数の第三電極４４を具える。
【００１５】
図１、図２に示すように、該端子挟持部６０は収容ボックス６１、可動接続軸６２、電極片６３、挿入設置部６４、挟持片６５、ばね６６を具える。該収容ボックス６１は長方形を呈する基板６１１を具え、該基板６１１の３個の辺縁はすべて垂直に上方へと延伸し第一側板６１２を有する。該収容ボックス６１はさらに第二側板６１３を具え、該第二側板６１３は該基板６１１上に固定支持され、しかもそれは相対設置する２個の第一側板６１２上に連接される。該第二側板６１３と該第二側板６１３に相対設置する第一側板６１２の凡その中央部には共に弧状を呈する可動接続槽６１４を開設する。該基板６１１の上は延伸し抵接柱６１５と収容設置部６１６を有する。該可動接続軸６２の両端は該収容ボックス６１の可動接続槽６１４内に対応固定される。該ばね６６は該収容設置部６１６内に設置する。
【００１６】
該電極片６３は可動接続部６３１と該可動接続部６３１から反対方向に延伸形成する抵接部６３２と押圧部６３３を具える。該電極片６３の可動接続部６３１は該可動接続軸６２上に可動接続する。該押圧部６３３は該ばね６６上を接触圧迫し、該抵接部６３２は該抵接柱６１５上において押し上げる。
【００１７】
該挿入設置部６４は該収容設置部６１６の上方に設置し、それは長方体状を呈する。該挿入設置部６４上には該挿入設置部６４を上下に貫通するする挿入設置槽６４１を開設する。該挟持片６５は湾折部６５１を具え、該湾折部６５１の両端は向かい合って傾斜し延伸し延伸部６５２を有する。該挟持片６５は該挿入設置部６４の挿入設置槽６４１内に収容され、該押圧部６３３上方に位置する。
【００１８】
図１、図３〜図５に示すように、第一、第二、第三導電片２０、３０、４０は該下蓋１０内に並列設置し、該第一、第二、第三係合支持部２３、３３、４３は該上蓋７０の対応する係合支持孔１６２内にそれぞれ挿入設置する。該各導電リング５０は該第一、第二、第三固定支持部２２、３２、４２上にそれぞれ設置し、対応するねじ８０は対応する導電リング５０、対応する第一、第二、第三固定支持部２２、３２、４２を順番に貫通し、該固定支持孔１６１内に螺入する。こうして該第一、第二、第三導電片２０、３０、４０は該下蓋１０上に固定支持される。該第一、第三電極２４、４４は該下蓋１０の第一収容部１４内に対応収容される。該端子挟持部６０は該下蓋１０の第二収容部１５内に収容され、しかも該端子挟持部６０の電極片６３の抵接部６３２は該第二導電片３０の接触部３４下方に位置する。該上蓋７０は複数の挿入孔７１を開設する。対応するねじ８０は該ロック柱１７のロック孔１７１を貫通し、該上蓋７０を該下蓋１０上に固定支持し、こうして該第一、第二、第三導電片２０、３０、４０、該導電リング５０、該端子挟持部６０は該上蓋７０と該下蓋１０の間において封入される。
【００１９】
図４、図６〜図８に示すように、プラグ端子２０１を具えるプラグ装置２を、本考案コンセント装置１に挿入設置する時には、該プラグ装置２のプラグ端子２０１を該上蓋７０の挿入孔７１から該コンセント装置１内へと挿入する。該プラグ端子２０１は該第一、第三電極２４、４４及び該挟持片６５の間においてそれぞれ対応挟持される。この時、その内のプラグ端子２０１は該端子挟持部６０の電極片６３とまだ接触していないため、こうしてプラグ装置２と本考案コンセント装置１はまだ電気的に導通しない。該プラグ端子２０１が該コンセント装置１内に完全に挿入される時、対応するプラグ端子２０１は下方へと該端子挟持部６０の電極片６３を接触圧迫するため、該電極片６３は該可動接続軸６２を巡り回転する。こうして該電極片６３の抵接部６３２と該第二導電片３０の接触部３４は電気的に連接する。
【００２０】
本考案コンセント装置１は上記記述に限定するものではない。該端子挟持部６０の電極片６３は該収容ボックス６１内に直接固設することもでき、これにより該電極片６３の抵接部６３２と該第二導電片３０の接触部３４は電気的に連接する。該電極片６３の押圧部６３３は該挟持片６５下方一定の距離に位置するため、該プラグ端子２０１が該コンセント装置１に完全に挿入され、該押圧部６３３に接触しなければ、該プラグ端子２０１は該コンセント装置１と電気的に導通することはなく、こうして感電機能を達成することができる。
【００２１】
上記のように、本考案コンセント装置１は該電極片６３を該収容ボックス６１内に設置するため、該プラグ端子２０１がまだ完全に挿入されていない時には、該プラグ端子２０１と該押圧部６３３は電気的に未連接で、こうして該プラグ端子２０１と該コンセント装置１の間は電気的に未連接である。これにより感電防止機能を達成し、しかもその構造は簡単で、製造と組み立てに便利である。
【図面の簡単な説明】
【００２２】
【図１】本考案コンセント装置の立体分解図である。
【図２】本考案コンセント装置の端子挟持部の立体分解図である。
【図３】本考案コンセント装置の上蓋除去後の立体組合せ図である。
【図４】プラグ装置を本考案コンセント装置にまだ完全に挿入していない状態の部分断面図である。
【図５】図４中Ｖ部分の拡大図である。
【図６】図４中ＶＩ部分の拡大図である。
【図７】プラグ装置を本考案コンセント装置に完全に挿入した状態の部分断面図である。
【図８】図７中ＶＩＩＩ部分の拡大図である。
【符号の説明】
【００２３】
１  コンセント装置
１０  下蓋
１１  底板
１２  側蓋
１３  支持部
１４  第一収容部
１５  第二収容部
１６  固定支持台
１６１  固定支持孔
１６２  係合支持孔
１７  ロック柱
１７１  ロック孔
２０  第一導電片
２１  第一導電部
２２  第一固定支持部
２３  第一係合支持部
２４  第一電極
３０  第二導電片
３１  第二導電部
３２  第二固定支持部
３３  第二係合支持部
３４  接触部
４０  第三導電片
４１  第三導電部
４２  第三固定支持部
４３  第三係合支持部
４４  第三電極
５０  導電リング
６０  端子挟持部
６１  収容ボックス
６１１  基板
６１２  第一側板
６１３  第二側板
６１４  可動接続槽
６１５  抵接柱
６１６  収容設置部
６２  可動接続軸
６３  電極片
６３１  可動接続部
６３２  抵接部
６３３  押圧部
６４  挿入設置部
６４１  挿入設置槽
６５  挟持片
６５１  湾折部
６５２  延伸部
６６  ばね
７０  上蓋
７１  挿入孔
８０  ねじ
２  プラグ装置
２０１  プラグ端子
【図１】
0003143623.tif 000003
【図２】
0003143623.tif 000004
【図３】
0003143623.tif 000005
【図４】
0003143623.tif 000006
【図５】
0003143623.tif 000007
【図６】
0003143623.tif 000008
【図７】
0003143623.tif 000009
【図８】
0003143623.tif 000010